(57)【要約】【課題】電気ケーブルを備えていないハンディータイプの送風機に電気を容易に供給する。【解決手段】送風機１０の台座部１６に設けられた受電部２４と、受電部２４に電気を供給する給電部２６とからなり、受電部２４は、台座部１６の裏側に設けられた凹部１８と、凹部１８内に設けられた受電端子２０，２０とを備え、給電部２６は給電端子２８，２８を備え、受電端子２０，２０と給電端子２８，２８は、凹部１８内に給電部２６が嵌合した状態で接触する位置関係で各々設けられている。給電部２６は押圧されて給電端子２８，２８を通電状態にするスイッチ３０を有し、受電部２４はスイッチ３０を押圧する突起部２２を有している。【選択図】図１
2015204245.tif 000002
【特許請求の範囲】
【請求項１】
送風機の台座部に設けられた受電部と、該受電部に電気を供給する給電部とからなり、該受電部は、該台座部の裏側に設けられた凹部と、該凹部内に設けられた受電端子とを備え、該給電部は給電端子を備え、該受電端子と該給電端子は、該凹部内に該給電部が嵌合した状態で接触する位置関係で各々設けられていることを特徴とする給電装置。
【請求項２】
前記給電部は押圧されて前記給電端子を通電状態にするスイッチを有し、前記凹部は、該凹部内に該給電部が嵌合した時に、該スイッチを押圧して該給電端子を通電状態にする突起部を有していることを特徴とする請求項１に記載の給電装置。
【請求項３】
前記給電部は、前記凹部内に該給電部が嵌合した時に、前記送風機の台座部の底面から下方に突出しない高さを有していることを特徴とする請求項１又は２に記載の給電装置。
【請求項４】
前記給電部は底部にベースプレートを備えていることを特徴とする請求項１〜３のいずれかに記載の給電装置。
【請求項５】
前記受電部は前記送風機内の二次電池に電気を供給するように該二次電池と電気的に接続されていることを特徴とする請求項１〜４のいずれかに記載の給電装置。
【発明の詳細な説明】
【技術分野】
【０００１】
本発明は、電気ケーブルを備えていないハンディータイプの送風機（扇風機、サーキュレータ等）への給電が容易な給電装置に関するものである。
【背景技術】
【０００２】
一般に、送風機は電源コンセントから電気コードを介して電気の供給を受けながら送風ファンを回転させている。送風機は電気コードを電源コンセントに繋げて使用するので、電気コードが届かないような場所に送風機を移動させる場合や、別室に送風機を移動させる場合、電源コンセントから電気コードのプラグを抜き、送風機を電気コードとともに別の場所に運び、この別の場所の電源コンセントに電気コードのプラグを挿して送風機を使用しなければならず、面倒である。
【０００３】
また、送風機と電源コンセントとの間には電気コードが横たわっているので、室内を歩く人は、電気コードに気を付けていないと、電気コードに足に引っ掛け、自分がつまずいたり、送風機を倒してしまうことがある。このため、室内を歩く人は電気コードに足を引っ掛かけないように、気を付けて歩かなければならず、電気コードが邪魔である。
【０００４】
そこで、本願の発明者等は二次電池を内蔵し、電気ケーブルを備えていないハンディータイプの送風機を提案・作製した。この送風機は外部から電気の供給を受けることなく、内蔵した二次電池だけで送風ファンを回転させることができる。そして、この送風機は電気ケーブルを備えていないので、別の場所や別の部屋に送風機を持って移動する場合、電気コードを電源コンセントから引き抜く必要が無く、送風機だけを持って行くことができ、持ち運びが容易である。しかも、移動した先で別の電源コンセントに電気コードを挿し直す必要も無い。
【０００５】
ただ、この送風機は次のような不都合がある。すなわち、外部から電気の供給を受けることなく、内蔵した二次電池だけで送風ファンを回転させ続けていると、内蔵されている二次電池内の電気は所定時間で無くなり（電圧が所定値以下となり）、送風機は送風ファンを回すことができなくなる。内蔵されている二次電池内の電気が無くなった場合は送風機に内蔵されている二次電池に電源コンセントから電気を供給してこの二次電池を充電しなければならない。
【０００６】
送風機に内蔵されている二次電池に電源コンセントから電気を供給して二次電池を充電する場合は、電源コンセントに電気コードのプラグを挿し、この電気コードの他端を送風機のところまで引っ張ってきて、電気コードの他端の給電用コネクタを送風機の受電用コネクタに差し込まなければならない。二次電池内の電気が無くなる毎にこのような充電を行わなければならないので、電源コンセントから電気コードを介して電気の供給を受けて送風ファンを回転させている場合と比べ、面倒である。
【先行技術文献】
【特許文献】
【０００７】
【特許文献１】特開平５-１６１８００号公報
【特許文献２】特開２００７-７３３７３号公報
【発明の概要】
【発明が解決しようとする課題】
【０００８】
本発明が解決しようとする課題は、電気ケーブルを備えていないハンディータイプの送風機に電気を容易に供給することができない点である。
【課題を解決するための手段】
【０００９】
本発明は、送風機の台座部に設けられた受電部と、該受電部に電気を供給する給電部とからなり、該受電部は、該台座部の裏側に設けられた凹部と、該凹部内に設けられた受電端子とを備え、該給電部は給電端子を備え、該受電端子と該給電端子は、該凹部内に該給電部が嵌合した状態で接触する位置関係で各々設けられていることを最も主要な特徴とする。
【発明の効果】
【００１０】
本発明の給電装置は、給電部の上に送風機の台座部を、該給電部が該台座部の裏側の凹部に嵌合するように、載せるだけで、給電部の給電端子と送風機の受電端子が接触し、送風機は容易に給電状態となり、送風機に内蔵されている二次電池は容易に充電状態になるという利点がある。
【００１１】
また、本発明の給電装置は、給電部の上に送風機の台座部を、該給電部が該台座部の裏側の凹部に嵌合するように、載せるだけで、給電部の給電端子と送風機の受電端子が接触し、送風機は容易に給電状態となり、送風機の送風ファンを回転させて送風させることができるという利点がある。
【図面の簡単な説明】
【００１２】
【図１】図１は本発明の一実施例に係る給電装置の給電部の斜視図である。
【図２】図２は本発明の一実施例に係る給電装置の受電部を備えた送風機の倒立状態の斜視図である。
【図３】図３は本発明の一実施例に係る給電装置の受電部を備えた送風機の台座部の裏面を示す説明図である。
【図４】図４は本発明の一実施例に係る給電装置の受電部の拡大図である。
【図５】図５は本発明の一実施例に係る給電装置の使用方法を示す説明図である。
【発明を実施するための形態】
【００１３】
電気ケーブルを備えていないハンディータイプの送風機に容易に給電するという目的を、最小の部品点数で、送風機のコストを高めることなく実現した。
【実施例１】
【００１４】
図１は本発明の一実施例に係る給電装置の給電部の斜視図、図２は本発明の一実施例に係る給電装置の受電部を備えた送風機の倒立状態の斜視図、図３は本発明の一実施例に係る給電装置の受電部を備えた送風機の台座部の裏面を示す説明図、図４は本発明の一実施例に係る給電装置の受電部の拡大図である。
【００１５】
これらの図において、１０は送風機であり、送風機１０は、送風部１２と、送風部１２を旋回可能に支持する支柱部１４と、支柱部１４を支持する台座部１６とからなる。台座部１６は円盤状をしており、裏側には円形の凹部１８が設けられ、凹部１８内の底部には一対の受電端子２０，２０と突起部２２が設けられている。凹部１８と受電端子２０，２０と突起部２２によって受電部２４が構成される。
【００１６】
２６は給電部であり、給電部２６は円盤状のベースプレート２６ａの上に円柱状の柱状部２６ｂを設けたものからなり、柱状部２６ｂの上部には一対の給電端子２８，２８と、スイッチ３０とが設けられている。スイッチ３０は押圧されて給電端子２８，２８を通電状態にするスイッチである。柱状部２６ｂの側部には受電コネクタ部２６ｃが設けられ、受電コネクタ部２６ｃの受電端子（図示せず）と給電端子２８，２８とは電気的に接続されている。受電コネクタ部２６ｃには電気ケーブル３２の給電コネクタ３２ａが接続されている。
【００１７】
送風機１０の台座部１６の裏側の凹部１８は、給電部２６のベースプレート２６ａが嵌合する浅い凹部１８ａと、給電部２６の柱状部２６ｂが嵌合する深い凹部１８ｂとからなり、送風機１０の台座部１６の裏側の凹部１８と給電部２６は全体として嵌合可能な大きさと形状をなしている。また、給電部２６は、凹部１８内に給電部２６が嵌合した時に、送風機１０の台座部１６の底面から下方に突出しない高さを有している。
【００１８】
受電部２４の受電端子２０，２０と給電部２６の給電端子２８，２８は、凹部１８内に給電部２６が嵌合したときに相互に接触する位置関係で各々設けられている。受電部２４の凹部１８内の突起部２２は、凹部１８内に給電部２６が嵌合した時に、スイッチ３０を押圧する位置に設けられている。受電部２４は送風機１０内の二次電池（図示せず）に電気を供給するように該二次電池と電気的に配線・接続されている。
【００１９】
受電部２４は台座部１６の周縁に寄った部位に設けても良いし、台座部１６の中央付近に設けても良いが、台座部１６の上面に目印となるものがある場所の裏側に設けるのが望ましい。使用者が給電部２６に受電部２４の凹部１８を嵌合させる場合、台座部１６の上面の目印の裏側に受電部２４が有ることを意識して、受電部２４の凹部１８に給電部２６をカンで嵌合させ易くなるからである。
【００２０】
次に、本発明に係る給電装置を使用してハンディータイプの送風機に給電する場合について説明する。
【００２１】
送風機１０に内蔵されている二次電池の電気の残量が少なくなって、二次電池の電圧が所定の値を下回ると、送風部１２の送風ファン（図示せず）は回転しなくなる。このようになった場合は、図５に示すように、送風機１０を給電部２６の上に持って行き、送風機１０の台座部１６を給電部２６の上に、台座部１６の裏側の凹部１８に給電部２６が嵌合するように降ろす。
【００２２】
送風機１０の台座部１６の裏側の凹部１８に給電部２６が嵌合すると、給電端子２８，２８と受電端子２０，２０は接触状態になる。そして、送風機１０の台座部１６の裏側の凹部１８に給電部２６が嵌合すると、凹部１８内の突起部２２が給電部２６のスイッチ３０を押し、給電部２６の給電端子２８，２８が通電状態になり、給電端子２８，２８から受電端子２０，２０に電気が供給される。
【００２３】
受電端子２０，２０は送風機１０に内蔵された二次電池に電気的に配線・接続されているので、該二次電池は充電を開始する。充電の状態はＬＥＤ等を使用したインジケータによって表示されている。インジケータがフル充電を示した場合は、給電部２６から送風機１０を持ち上げて外し、所望の場所に持って行き、そこで送風機１０を使用することができる。
【００２４】
また、受電端子２０，２０は送風機１０の送風部１２の送風用モータ（図示せず）にも電気的に配線・接続されているので、送風機１０の台座部１６の裏側の凹部１８に給電部２６が嵌合した状態で送風機１０の送風スイッチ（図示せず）をオン状態にすれば、送風用モータが回転し、送風部１２は送風を開始する。従って、送風機１０の台座部１６の裏側の凹部１８に給電部２６を嵌合させたまま、送風機１０を使用することもできる。
【００２５】
なお、上記の説明は二次電池を内蔵しているハンディータイプの送風機を前提にしているが、二次電池を内蔵していないタイプの送風機であって、電気ケーブルを備えていないハンディータイプの送風機について、上記のような給電装置を採用した場合、送風機だけを移動させ、別の場所で容易に給電させて送風に使用することができる。
【産業上の利用可能性】
【００２６】
本発明は電気ケーブルを備えていないハンディータイプの電気機器や電気工具に電気を供給する用途にも適用できる。
【符号の説明】
【００２７】
１０  送風機
１２  送風部
１４  支柱部
１６  台座部
１８  凹部
１８ａ  凹部
１８ｂ  凹部
２０  受電端子
２２  突起部
２４  受電部
２６  給電部
２６ａ  ベースプレート
２６ｂ  柱状部
２６ｃ  受電コネクタ部
２８  給電端子
３０  スイッチ
３２  電気ケーブル
３２ａ  給電コネクタ
【図１】
2015204245.tif 000003
【図２】
2015204245.tif 000004
【図３】
2015204245.tif 000005
【図４】
2015204245.tif 000006
【図５】
2015204245.tif 000007